(57)【特許請求の範囲】
【請求項１】
基地局に検出の開始を指示するための、移動端末からの操作要求を受信するように構成されている無線通信モジュールと、
前記操作要求に応じて、前記基地局の内部の検出を実行し、前記検出結果と前記結果に対応する操作指示情報を前記無線通信モジュールを介して前記移動端末に送信するように構成されているマスターコントロールボードと、を備え、
前記マスターコントロールボードが前記操作要求に応じて、前記基地局の内部の検出を実行することは、
前記基地局のソフトウェア及び/又はハードウェアの故障状況を検出することと、
故障が発生した場合、故障のある前記ソフトウェア及び/又は前記ハードウェアの故障原因を分析することと、
前記故障原因に基づいて、前記ソフトウェア及び/又は前記ハードウェアの故障回復の操作指示情報を決定することと、を含む基地局維持機器。
【請求項２】
前記無線通信モジュールは、少なくともＷＩＦＩモジュール、及びブルートゥースモジュールの中のいずれか一つを含む請求項１に記載の方法。
【請求項３】
移動端末から無線通信方式で送信された、基地局に検出の開始を指示するための操作要求を受信することと、
前記操作要求に応じて、前記基地局の内部の検出を実行することと、ここで、前記操作要求に応じて、前記基地局の内部の検出を実行することは、前記基地局のソフトウェア及び/又はハードウェアの故障状況を検出することと、故障が発生した場合、故障のある前記ソフトウェア及び/又は前記ハードウェアの故障原因を分析することと、前記故障原因に基づいて、前記ソフトウェア及び/又は前記ハードウェアの故障回復の操作指示情報を決定することと、を含み、
前記検出の結果及び前記結果に対応する前記操作指示情報を無線通信方式で前記移動端末へ送信することと、を含み、
前記操作指示情報は前記移動端末に前記基地局の維持を指示するためのものである基地局維持方法。
【請求項４】
移動端末から無線通信方式で送信された操作要求を受信する前、
前記移動端末を前記基地局にアクセスさせるための、前記移動端末からのアクセス認証情報を受信することと、
前記アクセス認証情報に基づいて、前記移動端末を前記基地局にアクセスすることと、をさらに含む請求項３に記載の方法。
【請求項５】
前記故障原因に基づいて、前記ソフトウェア及び/又は前記ハードウェアの故障回復の操作指示情報を決定した後、
前記故障原因及び前記故障回復の操作指示情報をウェブサーバー機能によって、ウェブページ操作インターフェースにアップロードすることをさらに含む請求項３に記載の方法。
【請求項６】
前記検出の結果及び/又は前記結果に対応する操作指示情報を前記移動端末に送信した後、
操作者が前記操作指示情報に従って所定の動作を行った後、前記移動端末から再び送信された前記操作要求に応じて、前記基地局の内部の検出を実行することをさらに含む請求項５に記載の方法。
【請求項７】
基地局に検出の開始を指示するための操作要求を無線通信方式で前記基地局に送信することと、
前記基地局が前記操作要求に応じて検出した結果及び/又は前記結果に対応する操作指示情報を無線通信方式で受信することと、を含み、
前記結果に対応する前記操作指示情報は前記基地局がソフトウェア及び/又はハードウェアの故障原因に基づいて決定した前記ソフトウェア及び/又は前記ハードウェアの故障回復の操作指示情報である基地局維持方法。
【請求項８】
操作要求を無線通信方式で基地局に送信する前、
移動端末がネットワーク管理システムにログインして前記基地局にアクセスするためのアクセス認証情報を取得することと、
前記移動端末が前記アクセス認証情報を用いて前記基地局にアクセスすることと、をさらに含む請求項７に記載の方法。
【請求項９】
移動端末がネットワーク管理システムにログインして前記基地局にアクセスするためのアクセス認証情報を取得することは、
前記移動端末が共通通信ネットワークを介して前記ネットワーク管理システムにログインして前記アクセス認証情報を取得することを含む請求項８に記載の方法。
【請求項１０】
前記ネットワーク管理システムは、クラウドコンピューティングに基づくネットワーク管理アーキテクチャーである請求項８又は９に記載の方法。
【請求項１１】
前記基地局が前記操作要求に応じて検出した結果及び/又は前記結果に対応する操作指示情報を受信した後、
前記移動端末が前記移動端末に前記結果に対応する操作指示情報を保存すること、又は、前記移動端末が前記共通無線ネットワークを介して前記結果に対応する操作指示情報を前記ネットワーク管理システムにアップロードすることをさらに含む請求項１０に記載の方法。
【請求項１２】
移動端末から無線通信方式で送信された、基地局に検出の開始を指示するための操作要求を受信するように構成されている第１の受信モジュールと、
前記操作要求に応じて、前記基地局の内部の検出を実行するように構成されている検出モジュールと、ここで、前記検出モジュールは、前記基地局のソフトウェア及び/又はハードウェアの故障状況を検出するように構成されている検出ユニットと、故障が発生した場合、故障のある前記ソフトウェア及び/又は前記ハードウェアの故障原因を分析するように構成されている分析ユニットと、前記故障原因に基づいて、前記ソフトウェア及び/又は前記ハードウェアの故障回復の操作指示情報を決定するように構成されている決定ユニットと、を含み、
前記検出の結果及び/前記結果に対応する前記操作指示情報を無線通信方式で前記移動端末に送信するように構成されている第１の送信モジュールと、を備え、
前記操作指示情報は前記移動端末に前記基地局の維持を指示するためのものである基地局維持装置。
【請求項１３】
前記移動端末を前記基地局にアクセスさせるための、前記移動端末からのアクセス認証情報を受信するようにさらに構成されている前記第１の受信モジュールと、
前記アクセス認証情報に基づいて、前記移動端末を前記基地局にアクセスするように構成されている第１のアクセスモジュールと、をさらに備える請求項１２に記載の装置。
【請求項１４】
前記故障原因及び前記故障回復の操作指示情報をウェブサーバー機能によって、ウェブページ操作インターフェースにアップロードするように構成されているアップロードモジュールを、さらに備える請求項１２に記載の装置。
【請求項１５】
請求項１２乃至１４の中のいずれか１つに記載の基地局維持装置を備える基地局。
【請求項１６】
基地局に検出の開始を指示するための操作要求を無線通信方式で前記基地局に送信するように構成されている第２の送信モジュールと、
前記基地局が前記操作要求に応じて検出した結果及び前記結果に対応する操作指示情報を無線通信方式で受信するように構成されている第２の受信モジュールと、を備え、
前記結果に対応する前記操作指示情報は前記基地局がソフトウェア及び/又はハードウェアの故障原因に基づいて決定した前記ソフトウェア及び/又は前記ハードウェアの故障回復の操作指示情報である基地局維持装置。
【請求項１７】
ネットワーク管理システムにログインして前記基地局にアクセスするためのアクセス認証情報を取得するように構成されている取得モジュールと、
前記アクセス認証情報を用いて前記基地局にアクセスするように構成されている第２のアクセスモジュールと、をさらに備える請求項１６に記載の装置。
【請求項１８】
前記取得モジュールは、
共通通信ネットワークを介して前記ネットワーク管理システムにログインして前記アクセス認証情報を取得するように構成されている第１の取得ユニットを含む請求項１７に記載の装置。
【請求項１９】
前記移動端末に前記結果に対応する操作指示情報を保存するように構成されている保存モジュールと、
前記共通無線ネットワークを介して前記結果に対応する操作指示情報を前記ネットワーク管理システムにアップロードするように構成されているアップロードモジュールと、をさらに備える請求項１８に記載の装置。
【請求項２０】
請求項１６乃至１９の中のいずれか１つに記載の基地局維持装置を備える移動端末。
【請求項２１】
請求項１５に記載の基地局と、
請求項２０に記載の移動端末と、
前記移動端末に前記基地局へアクセスするためのアクセス認証情報を提供し、且つ、前記基地局及び/又は前記移動端末によってアップロードされたデータを保存するように構成されているネットワーク管理システムと、を備え、
前記データは、少なくとも検出の結果、及び前記検出の結果に対応する操作指示情報の中のいずれか一つを含む基地局維持システム。
【発明の詳細な説明】
【技術分野】
【０００１】
本発明は、通信分野に関し、具体的に、基地局維持（メンテナンス）機器、方法、装置及びシステム、移動端末、ならびに、基地局に関する。
【背景技術】
【０００２】
近年、電気通信インフラの高速発展に伴って、グローバル移動通信（Ｇｌｏｂａｌ  ｓｙｓｔｅｍ  ｆｏｒ  Ｍｏｂｉｌｅ  Ｃｏｍｍｕｎｉｃａｔｉｏｎ、ＧＳＭと略称）、符号分割多重アクセス（Ｃｏｄｅ  Ｄｉｖｉｓｉｏｎ  Ｍｕｌｔｉｐｌｅ  Ａｃｃｅｓｓ、ＣＤＭＡと略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳと略称）、長期的進化（Ｌｏｎｇ  Ｔｅｒｍ  Ｅｖｏｌｕｔｉｏｎ、ＬＴＥと略称）などの各種の無線システムの基地局の種類がますます多くなり、技術の複雑度もどんどん高くなっていて、事業者によるサイトの工程装着や機器故障の処理速度に対する要求もますます高まっている。それで、機器製造者と事業者は既に比較的完全な集中ネットワーク管理システムを構築しており、維持管理員は固定のクライアントにログインしてすべてのサイトの基地局運行状況を把握することができる。しかし、例えば、基地局のハードウェア故障の検出等の一部の維持作業は必ずサイトの機械室又は鉄塔に行って行わなければならなく、既存技術において、基地局に近端維持を行う方法は、操作者がサイトに行って、鉄塔に登って、ＰＣをネットワークケーブルを介して基地局に接続し、接続を確立した後、操作者が専用コードを入力して手順に従って基地局を操作して、基地局の故障状況を検出するため、操作者に対する素質要求が高く、且つ、操作者は大量のコードを入力して基地局の検出を行わなければならず、作業量が多く、鉄塔に登って検出する方式も危険である。従って、如何に基地局の近端維持を簡単且つ高速で行うことで、維持管理者の作業量を低減するかは重要なことである。
【発明の概要】
【発明が解決しようとする課題】
【０００３】
本発明は、少なくとも、既存技術において操作者が自ら鉄塔に登ってＰＣをネットワークケーブルを介して基地局に接続し、接続を確立した後、操作者が専用コードを入力して手順に従って基地局を操作して基地局の故障状況を検出するため、操作プロセスが複雑且つ危険であって、作業量が多い問題を解決できる基地局維持機器、方法、装置及びシステム、移動端末、ならびに、基地局を提供する。
【課題を解決するための手段】
【０００４】
本発明の一態様によると、基地局に検出の開始を指示するための、移動端末からの操作要求を受信するように構成されている無線通信モジュールと、前記操作要求に応じて、前記基地局の内部の検出を実行し、前記検出結果を前記無線通信モジュールを介して前記移動端末に送信するように構成されているマスターコントロールボードと、を備える基地局維持機器を提供する。
【０００５】
前記無線通信モジュールは、少なくともＷＩＦＩモジュール、及びブルートゥースモジュールの中のいずれか一つを含むことが好ましい。
【０００６】
本発明の他の一態様によると、移動端末から無線通信方式で送信された、基地局に検出の開始を指示するための操作要求を受信することと、前記操作要求に応じて、前記基地局の内部の検出を実行することと、前記検出の結果及び/又は前記結果に対応する操作指示情報を無線通信方式で前記移動端末へ送信することと、を含み、前記操作指示情報は前記移動端末に前記基地局の維持を指示するためのものである基地局維持方法を提供する。
【０００７】
移動端末から無線通信方式で送信された操作要求を受信する前、前記移動端末を前記基地局にアクセスさせるための、前記移動端末からのアクセス認証情報を受信することと、前記アクセス認証情報に基づいて、前記移動端末を前記基地局にアクセスすることと、をさらに含むことが好ましい。
【０００８】
前記操作要求に応じて、前記基地局の内部の検出を実行することは、前記基地局のソフトウェア及び/又はハードウェアの故障状況を検出することと、故障が発生した場合、故障のある前記ソフトウェア及び/又は前記ハードウェアの故障原因を分析することと、前記故障原因に基づいて、前記ソフトウェア及び/又は前記ハードウェアの故障回復の操作指示情報を決定することと、を含むことが好ましい。
【０００９】
前記故障原因に基づいて、前記ソフトウェア及び/又は前記ハードウェアの故障回復の操作指示情報を決定した後、前記故障原因及び前記故障回復の操作指示情報をウェブサーバー機能によって、ウェブページ操作インターフェースにアップロードすることをさらに含むことが好ましい。
【００１０】
前記検出の結果及び/又は前記結果に対応する操作指示情報を前記移動端末に送信した後、操作者が前記操作指示情報に従って所定の動作を行った後、前記移動端末から再び送信された前記操作要求に応じて、前記基地局の内部の検出を実行することをさらに含むことが好ましい。
【００１１】
本発明の更なる一態様によると、基地局に検出の開始を指示するための操作要求を無線通信方式で前記基地局に送信することと、前記基地局が前記操作要求に応じて検出した結果及び/又は前記結果に対応する操作指示情報を無線通信方式で受信することと、を含む他の基地局維持方法を提供する。
【００１２】
操作要求を無線通信方式で基地局に送信する前、移動端末がネットワーク管理システムにログインして前記基地局にアクセスするためのアクセス認証情報を取得することと、前記移動端末が前記アクセス認証情報を用いて前記基地局にアクセスすることと、をさらに含むことが好ましい。
【００１３】
移動端末がネットワーク管理システムにログインして前記基地局にアクセスするためのアクセス認証情報を取得することは、前記移動端末が共通通信ネットワークを介して前記ネットワーク管理システムにログインして前記アクセス認証情報を取得すること、又は、前記移動端末が音声方式で前記ネットワーク管理システムのスタッフと通話して前記アクセス認証情報を取得することを含むことが好ましい。
【００１４】
前記ネットワーク管理システムは、クラウドコンピューティングに基づくネットワーク管理アーキテクチャーであることが好ましい。
【００１５】
前記基地局が前記操作要求に応じて検出した結果及び/又は前記結果に対応する操作指示情報を受信した後、前記移動端末が前記移動端末に前記結果に対応する操作指示情報を保存すること、又は、前記移動端末が前記共通無線ネットワークを介して前記結果に対応する操作指示情報を前記ネットワーク管理システムにアップロードすることをさらに含むことが好ましい。
【００１６】
本発明の他の一態様によると、移動端末から無線通信方式で送信された、基地局に検出の開始を指示するための操作要求を受信するように構成されている第１の受信モジュールと、前記操作要求に応じて、前記基地局の内部の検出を実行するように構成されている検出モジュールと、前記検出の結果及び/又は前記結果に対応する操作指示情報を無線通信方式で前記移動端末に送信するように構成されている第１の送信モジュールと、を備え、前記操作指示情報は前記移動端末に前記基地局の維持を指示するためのものである基地局維持装置を提供する。
【００１７】
前記装置は、前記移動端末を前記基地局にアクセスさせるための、前記移動端末からのアクセス認証情報を受信するようにさらに構成されている前記第１の受信モジュールと、前記アクセス認証情報に基づいて、前記移動端末を前記基地局にアクセスするように構成されている第１のアクセスモジュールと、をさらに備えることが好ましい。
【００１８】
前記検出モジュールは、前記基地局のソフトウェア及び/又はハードウェアの故障状況を検出するように構成されている検出ユニットと、故障が発生した場合、故障のある前記ソフトウェア及び/又は前記ハードウェアの故障原因を分析するように構成されている分析ユニットと、前記故障原因に基づいて、前記ソフトウェア及び/又は前記ハードウェアの故障回復の操作指示情報を決定するように構成されている決定ユニットと、を含むことが好ましい。
【００１９】
前記装置は、前記故障原因及び前記故障回復の操作指示情報をウェブサーバー機能によって、ウェブページ操作インターフェースにアップロードするように構成されているアップロードモジュールを、さらに備えることが好ましい。
【００２０】
本発明の他の一態様によると、上記したいずれかの基地局維持装置を備える基地局を提供する。
【００２１】
本発明の他の一態様によると、基地局に検出の開始を指示するための操作要求を無線通信方式で前記基地局に送信するように構成されている第２の送信モジュールと、前記基地局が前記操作要求に応じて検出した結果及び/又は前記結果に対応する操作指示情報を無線通信方式で受信するように構成されている第２の受信モジュールと、を備える他の基地局維持装置を提供する。
【００２２】
前記装置は、ネットワーク管理システムにログインして前記基地局にアクセスするためのアクセス認証情報を取得するように構成されている取得モジュールと、前記アクセス認証情報を用いて前記基地局にアクセスするように構成されている第２のアクセスモジュールと、をさらに備えることが好ましい。
【００２３】
前記取得モジュールは、共通通信ネットワークを介して前記ネットワーク管理システムにログインして前記アクセス認証情報を取得するように構成されている第１の取得ユニットと、音声方式で前記ネットワーク管理システムのスタッフと通話して前記アクセス認証情報を取得するように構成されている第２の取得ユニットと、を含むことが好ましい。
【００２４】
前記装置は、前記移動端末に前記結果に対応する操作指示情報を保存するように構成されている保存モジュールと、前記共通無線ネットワークを介して前記結果に対応する操作指示情報を前記ネットワーク管理システムにアップロードするように構成されているアップロードモジュールと、をさらに備えることが好ましい。
【００２５】
本発明の他の一態様によると、上記したいずれかの基地局維持装置を備える移動端末を提供する。
【００２６】
本発明の更なる他の一態様によると、上記した基地局と、上記した移動端末と、前記移動端末に前記基地局へアクセスするためのアクセス認証情報を提供し、且つ、前記基地局及び/又は前記移動端末によってアップロードされたデータを保存するように構成されているネットワーク管理システムと、を備え、前記データは、少なくとも検出の結果、及び前記検出の結果に対応する操作指示情報の中のいずれか一つを含む基地局維持システムを提供する。
【発明の効果】
【００２７】
本発明では、基地局と移動端末との間のインタラクティブ信号を送受信するように構成されている無線通信モジュールと、前記操作要求に応じて前記基地局の内部の検出を実行するように構成されているマスターコントロールボードとが設けられた基地局維持機器を利用する。本発明によれば、操作者が自ら鉄塔に登ってＰＣをネットワークケーブルを介して基地局に接続し、接続を確立した後、操作者が専用コードを入力して手順に従って基地局を操作して基地局の故障状況を検出することで、操作プロセスが複雑で危険であって、且つ作業量が多い問題を解決し、さらに、無線通信方式で基地局と移動端末との接続を確立するため、安全で且つ利便性があり、基地局による故障検出フローのスマート化を実現し、操作が簡単で便利になる。
【図面の簡単な説明】
【００２８】
ここで説明する図面は本発明を理解させるためのもので、本発明の一部をアーキテクチャーし、本発明における実施例と共に本発明を解釈し、本発明を不当に限定するのではない。
【図１】図１は、本発明の実施例に係る基地局維持機器のアーキテクチャーを示す図である。
【図２】図２は、本発明の実施例に係る基地局維持方法を示すフローチャートである。
【図３】図３は、本発明の実施例に係る他の基地局維持方法を示すフローチャートである。
【図４】図４は、本発明の実施例に係る基地局維持装置の構造を示す図の１である。
【図５】図５は、本発明の実施例に係る基地局維持装置の検出モジュールの構造を示す図である。
【図６】図６は、本発明の実施例に係る基地局維持装置の構造を示す図の２である。
【図７】図７は、本発明の実施例に係る基地局維持装置の構造を示す図の３である。
【図８】図８は、本発明の実施例に係る他の基地局維持装置の構造を示す図の１である。
【図９】図９は、本発明の実施例に係る他の基地局維持装置の構造を示す図の２である。
【図１０】図１０は、本発明の実施例に係る他の基地局維持装置の取得モジュールの構造を示す図である。
【図１１】図１１は、本発明の実施例に係る他の基地局維持装置の構造を示す図の３である。
【図１２】図１２は、本発明の実施例に係る他の基地局維持システムのアーキテクチャーを示す図である。
【図１３】図１３は、本発明の好適な実施例に係るクラウドコンピューティングに基づく基地局近端維持システムを示す図である。
【図１４】図１４は、本発明の好適な実施例に係る近端維持基地局装置の内部のモジュールを示す図である。
【図１５】図１５は、本発明の好適な実施例に係るスマート端末、基地局、及びネットワーク管理クラウドの三つのネットワーク要素間のインタラクションを示すフローチャートである。
【図１６】図１６は、本発明の好適な実施例に係る基地局近端維持を示すフローチャートである。
【発明を実施するための形態】
【００２９】
以下、図面を参照しつつ実施例を結合して本発明の実施例を説明する。ここで、衝突しない限り、本願の実施例及び実施例中の特徴を互いに組み合せることができる。
【００３０】
既存技術において、操作者が自ら鉄塔に登ってＰＣをネットワークケーブルを介して基地局に接続し、接続を確立した後、操作者が専用コードを入力して手順に従って基地局を操作して基地局の故障状況を検出することで、操作プロセスが複雑で危険であって、且つ作業量が多い問題に鑑み、本発明の実施例は基地局維持機器を提供し、図１に該機器のアーキテクチャーを示し、
基地局に検出の開始を指示するための移動端末からの操作要求を受信するように構成されている無線通信モジュール１と、
無線通信モジュール１に接続され、操作要求に応じて基地局の内部の検出を実行し、検出結果を無線通信モジュールを介して移動端末に送信するように構成されているマスターコントロールボード２を含む。
【００３１】
本実施例による基地局維持機器は、無線通信モジュール１とマスターコントロールボード２とを用い、上記した無線通信モジュール１を利用することで、操作者が自ら鉄塔に登ってＰＣをネットワークケーブルを介して基地局に接続しなければならない問題を解決し、操作者が鉄塔に登って操作する必要がなく、安全係数を高めることができる。故障検出際に、マスターコントロールボード２を用いて、マスターコントロールボード２は自動運行して直接に検出結果を得ることができ、操作者が専用コードを入力して手順に従って基地局を操作して基地局の故障状況を検出する問題を解決し、操作プロセスのスマート化を実現することができる。実際に設定する際、移動端末はノートパソコンであってもよいし、より便利である携帯電話であってもよい。該無線通信モジュール１はＷＩＦＩモジュール、ブルートゥースモジュールなどであってもよい、例えば、該無線通信モジュール１がＷＩＦＩモジュールである場合、ＷＩＦＩモジュールを基地局維持機器内に設け、基地局が移動端末とＷＩＦＩ方式で通信を行ってデータ信号のインタラクション(interaction)を行うようにする。
【００３２】
上記基地局維持機器が設けられた基地局に基づいて、本実施例はさらに基地局維持方法を提供し、該方法は基地局側に適用される方法であって、そのプロセスは図２に示すように、ステップＳ２０２〜ステップＳ２０６を含む。
移動端末から無線通信方式で送信された操作要求を受信し（ステップＳ２０２）、ここで、操作要求は基地局に検出の開始を指示するためのものである。
操作要求に応じて基地局の内部の検出を実行する（ステップＳ２０４）。
検出の結果及び/又は結果に対応する操作指示情報を無線通信方式で移動端末に送信し（ステップＳ２０６）、ここで、操作指示情報は移動端末に基地局の維持を指示するためのものである。
【００３３】
基地局が移動端末から無線通信方式で送信された操作要求を受信する前、アクセス認証のプロセスを設定してもよく、例えば、基地局が移動端末から、移動端末の基地局へのアクセスのためのアクセス認証情報を受信すると、基地局は、アクセス認証情報に応じて、移動端末を基地局にアクセスする。該認証プロセスによって、システム間のインタラクションの安全性を向上させることができる。
【００３４】
移動端末を基地局にアクセスした後、基地局は、移動端末が送信した操作要求に応じて基地局の内部の検出を実行することができ、例えば、故障検出を行う場合、まず、基地局のソフトウェア及び/又はハードウェアの故障状況検出を行い、故障が検出されていないと、移動端末に故障無しの指示情報を送ることができ、故障が検出されると、故障のあるソフトウェア及び/又はハードウェアの故障原因を分析し、故障原因に基づいて、ソフトウェア及び/又はハードウェアの故障回復の操作指示情報を決定し、例えば、基地局の伝送接続異常が検出された場合、移動端末に送信する操作指示情報は、（１）伝送線路の再接続、（２）再度自己点検(self-inspection)、（３）自己点検結果が正常であるか否かのチェック、であることができる。そして、操作者は操作指示情報に応じて操作を行う。操作者が操作指示情報に応じて故障リンクを回復する予定の動作を行った後、基地局は、操作者から送信される（２）の実行命令に応じて基地局の内部の故障検出を再び行う。
【００３５】
実行中に、基地局が故障原因に基づいてソフトウェア及び/又はハードウェアの故障回復の操作指示情報を決定した後、故障原因及び故障回復の操作指示情報をウェブサーバー機能によってウェブページ操作インターフェースにアップロードしてもよく、当該方式を用いることで、操作者がその後にネットワークを介して、関連する故障の操作プロセスをチェックすることができ、共有プラットフォームを提供して、操作者の能力を向上させるに有利である。
【００３６】
上記基地局側の基地局維持方法に対応して、本実施例は他の基地局維持方法をさらに提供し、該方法は移動端末側に適用される方法であって、そのプロセスは図３に示すように、ステップＳ３０２〜ステップＳ３０４を含む。
無線通信方式で操作要求を基地局に送信し（ステップＳ３０２）、ここで、操作要求は基地局に検出の開始を指示するためのものである。
基地局により操作要求に応じて検出した結果及び/又は結果に対応する操作指示情報を無線通信方式で受信する（ステップＳ３０４）。
【００３７】
無線通信方式で操作要求を基地局に送信する前、移動端末はネットワーク管理システムにログインして基地局にアクセスするためのアクセス認証情報を取得し、その後、取得したアクセス認証情報に基づいて基地局にアクセスすることができる。実行中に、移動端末はさまざまな方式でアクセス認証情報を取得することができ、例えば、共通通信ネットワークを介してネットワーク管理システムにログインしてアクセス認証情報を取得してもよく、或いは、音声方式でネットワーク管理システムのスタッフと通話してアクセス認証情報を取得してもよい。ネットワーク管理システムを選択する際、クラウドコンピューティングに基づくネットワーク管理アーキテクチャーのネットワーク管理システムを選択することが好ましい。
【００３８】
移動端末が、基地局により操作要求に応じて故障検出を行った結果と結果に対応する操作指示情報を受信した後、操作者の場合は、提示された操作指示情報に応じて対応する動作を実行することができ、一方、移動端末の場合は、移動端末に検出結果に対応する操作指示情報を保存することができ、又は、共通無線ネットワークを介して検出結果に対応する操作指示情報をネットワーク管理システムにアップロードすることによって、システムにバックアップするか又は他の操作者に共有資料を提供することができる。
【００３９】
本実施例はさらに、基地局維持装置を提供し、該装置は基地局の内部に設けられて、基地局側の基地局維持方法を実現することができる。該基地局維持装置は、図４に示すように、移動端末により無線通信方式で送信された操作要求を受信するように構成されている第１の受信モジュール１０と、第１の受信モジュール１０にカップリング（接続）され、操作要求に応じて基地局の内部の検出を実行するように構成されている検出モジュール２０と、検出モジュール２０にカップリングされ、検出の結果及び/又は結果に対応する操作指示情報を無線通信方式で移動端末に送信するように構成されている第１の送信モジュール３０と、を含み、そのうち、操作要求は基地局に検出の開始を指示するためのもので、操作指示情報は移動端末に基地局の維持を指示するためのものである。
【００４０】
図５は上記検出モジュール２０の好適な構造を示す図で、基地局のソフトウェア及び/又はハードウェアの故障状況を検出するように構成されている検出ユニット２０２と、検出ユニット２０２にカップリングされ、故障が発生した場合、故障のあるソフトウェア及び/又はハードウェアの故障原因を分析するように構成されている分析ユニット２０４と、分析ユニット２０４にカップリングされ、故障原因に基づいてソフトウェア及び/又はハードウェアの故障回復の操作指示情報を決定するように構成されている決定ユニット２０６と、を含む。
【００４１】
本実施例による基地局維持装置は、図６に示すように、第１の受信モジュール１０がさらに、移動端末を基地局にアクセスさせるための移動端末からのアクセス認証情報を受信するように構成され、第１のアクセスモジュール４０が第１の受信モジュール１０にカップリングされ、アクセス認証情報に基づいて移動端末を基地局にアクセスするように構成されることもできる。
【００４２】
検出した故障原因及び故障回復の操作指示情報を共有又は保存する必要がある場合に、上記装置は、図７に示すように、検出モジュール２０にカップリングされ、故障原因及び故障回復の操作指示情報をウェブサーバー機能によってウェブページ操作インターフェースにアップロードするように構成されているアップロードモジュール５０をさらに含んでも良い。
【００４３】
本実施例はさらに、他の基地局維持装置を提供し、該装置は移動端末の内部に設けられて、移動端末側の基地局維持方法を実現することができる。その構造は図８に示すように、無線通信方式で操作要求を基地局に送信するように構成されている第２の送信モジュール１１と、第２の送信モジュール１１にカップリングされ、基地局が操作要求に応じて検出した結果及び/又は結果に対応する操作指示情報を無線通信方式で受信するように構成されている第２の受信モジュール２１と、を含み、そのうち、操作要求は基地局に検出の開始を指示するためのものである。
【００４４】
アクセス認証情報が必要である場合、移動端末はアクセス認証情報を取得して基地局にアクセスしなければならず、この時、上記装置の構造は図９に示すように、ネットワーク管理システムにログインして、基地局にアクセスするためのアクセス認証情報を取得するように構成されている取得モジュール３１と、取得モジュール３１と第２の送信モジュール１１にカップリングされ、アクセス認証情報を用いて基地局にアクセスするように構成されている第２のアクセスモジュール４１と、をさらに含んでも良い。
【００４５】
図１０は取得モジュール３１の好適な構造を示す図で、共通通信ネットワークを介してネットワーク管理システムにログインし、アクセス認証情報を取得するように構成されている第１の取得ユニット３１２と、第１の取得ユニット３１２にカップリングされ、音声方式でネットワーク管理システムのスタッフと通話してアクセス認証情報を取得するように構成されている第２の取得ユニット３１４と、を含む。
【００４６】
検出した故障原因及び故障回復の操作指示情報を共有及び/又は保存する必要がある場合、上記装置は、図１１に示すように、第２の受信モジュール２１にカップリングされ、移動端末に検出結果に対応する操作指示情報を保存するように構成されている保存モジュール５１と、第２の受信モジュール２１にカップリングされ、共通無線ネットワークを介して、検出結果に対応する操作指示情報をネットワーク管理システムにアップロードするように構成されているアップロードモジュール６１と、をさらに含んでも良い。
【００４７】
好ましくは、本実施例はさらに、上記移動端末と、上記基地局と、ネットワーク管理システムとを含む基地局維持システムを提供し、図１２にその構造を示し、当該システムにおいて、基地局は上記基地局維持装置を備える基地局で、移動端末は上記他の基地局維持装置を備える移動端末で、ネットワーク管理システムは基地局にアクセスするためのアクセス認証情報を移動端末に提供するように構成されたものである。もちろん、ネットワーク管理システムは基地局及び/又は移動端末がアップロードしたデータを保存するように構成されていることもできる。該システムのネットワーク管理システムと、基地局と、移動端末とによって閉ループのネットワークを形成し、操作者がサイトで簡単且つ迅速に基地局の運行状態を把握するようにサポートし、サイトと集中化したネットワーク管理者との人工インタラクションなどの作業量を低減し、作業効率を高めることができる。
【００４８】
（好適な実施例）
本好適な実施例において、ネットワーク管理クラウドと結合して、クラウドコンピューティングに基づく基地局近端維持(proximal maintenance)方法、装置及びシステムを提案する。
本実施例によるシステムは図１３に示すように、ネットワーク管理クラウド（ネットワーク管理システムの１種類）と、基地局と、スマート端末（移動端末の１種類）と、を含む。ネットワーク管理クラウドとは、クラウドコンピューティングに基づくネットワーク管理アーキテクチャーを指す。基地局は機能の自己点検、故障診断、故障処理指示などの機能をサポートし、ウェブサーバー機能及びＷＩＦＩなどの近接場無線通信ネットワークアクセス機能をサポートする。スマート端末は共通通信ネットワークを介してネットワーク管理クラウドと通信し、ＷＩＦＩなどの近接場無線通信方式をサポートする端末機器である。
【００４９】
本実施例によるクラウドコンピューティングに基づく基地局近端維持方法は、以下の処理プロセスを含む：スマート端末が共通通信ネットワークを介してネットワーク管理クラウドにログインし、処理対象基地局のアクセス認証情報を取得し、又は、スマート端末が音声方式で処理対象基地局のアクセス認証情報を取得し；スマート端末が処理対象基地局付近で、ネットワーク管理クラウドから取得した認証情報を用いて、近接場通信方式で処理対象基地局に接続され；スマート端末が処理対象基地局のネットワークサーバーに操作要求を送信し、基地局から提供された自己点検、故障診断、及び操作指示などの情報を取得し；スマート端末が処理対象基地局からフォードバックされた操作記録を共通無線ネットワークを介して、ネットワーク管理クラウドにアップロードし、或いは、操作記録をスマート端末に保存する。
【００５０】
本実施例による、基地局にサポートされる近端維持方法は、基地局がスマート端末の近接場通信アクセス要求を受信することと、基地局がスマート端末から送信されたアクセス要求及び認証情報を確認し、近接場通信関係を確立することと、基地局がスマート端末から送信された操作要求を受信し、自己点検、故障診断などの操作を実行し、自己点検、故障診断、及び操作指示などの情報をスマート端末に送信することと、基地局がスマート端末に操作結果をフィードバックすることと、を含む。
【００５１】
本実施例による近端維持をサポートする基地局装置は、通常の移動通信機能に加え、複数種類のモジュールを含み、その内部のモジュールは図１４に示すように、近接場無線通信モジュールと、基地局自己点検及び診断モジュールと、ネットワークサーバーモジュールと、を含み、近接場無線通信モジュールは近接場型の無線通信ネットワークを提供し、スマート端末との間の通信接続を実現し、基地局自己点検及び診断モジュールは基地局自体の自己点検や故障診断を行い、自己点検、診断及び対応する操作指示などの内容を提供し、ネットワークサーバーモジュールはネットワークアクセス認証管理、ウェブページインタラクションなどの機能を提供し、スマート端末への自己点検及び診断モジュールによる自己点検、診断及び操作指示などの情報の発表をサポートする。
【００５２】
図１５は本好適な実施例に係る基地局、スマート端末、ネットワーク管理クラウドの間のインタラクティブプロセスを示し、そのインタラクティブプロセスは、ステップＳ１５０２〜ステップＳ１５１４を含む。
スマート端末が、ネットワーク管理クラウドにログインし、或いは、音声方式でネットワーク管理クラウドと連絡する（ステップＳ１５０２）。
処理対象基地局のアクセス認証情報を取得する（ステップＳ１５０４）。
【００５３】
近接場無線通信を介して基地局機器に接続され、認証情報を用いて基地局機器にログインする（ステップＳ１５０６）。
アクセス要求及びアクセス認証情報を確認する（ステップＳ１５０８）。
【００５４】
基地局に操作要求を送信する（ステップＳ１５１０）。
基地局の自己点検情報、診断情報、及び操作指示などの情報を発表する（ステップＳ１５１２）。
スマート端末が、操作記録をネットワーク管理クラウドにアップロードし、あるいは、スマート端末に保存する（ステップＳ１５１４）。
【００５５】
以下、具体的な実施例及び図面を結合して上記方法を説明する。
(実施例１)
基地局に外部故障検出を行う場合に、基地局近端維持フローは図１６に示すとおりで、基地局の外部故障処理は、ステップＳ１６０２〜ステップＳ１６０８を含む。
スマート端末が、共通通信ネットワークを介してネットワーク管理クラウドにログインし、処理対象基地局の近接場無線通信ネットワークのアクセス認証情報を取得する（ステップＳ１６０２）。例えば、基地局ＷＩＦＩネットワークにアクセスするためのユーザ名とパスワードを取得する。
【００５６】
スマート端末はウェブページに登録可能な機能を有し、共通通信ネットワーク、例えば、無線通信ネットワーク又は有線ネットワークを介して、ネットワーク管理クラウドにログインし、認証を経て、基地局のアクセス許可を得た認証情報を取得することができる。スマート端末は、音声方式でネットワーク管理クラウドのスタッフと通話して、処理対象基地局のアクセス認証情報を取得することもできる。ネットワーク管理クラウドは、クラウドコンピューティングに基づくネットワーク管理ネットワークで、共通無線通信ネットワークによるアクセス機能をサポートし、スマート端末との通信機能をサポートする。
【００５７】
処理対象基地局の付近で、スマート端末が基地局の近接場無線通信ネットワーク、例えば、ＷＩＦＩネットワークを走査した後、アクセス認証情報によって基地局にログインする（ステップＳ１６０４）。
【００５８】
スマート端末は、近接場通信機能、例えば、ＷＩＦＩ又はブルートゥース通信機能を具備する。基地局は、近接場通信機能、例えば、ＷＩＦＩ又はブルートゥース通信機能を具備する。
【００５９】
スマート端末は、基地局に操作要求を送信し、基地局がネットワークサーバーモジュールを介して発表した自己点検、診断及び操作指示の情報を取得する（ステップＳ１６０６）。
【００６０】
例えば、基地局は、スマート端末が送信した操作要求を受信した後、自己点検診断モジュールによって検出を行い、得られた情報が基地局の伝送接続異常警告であると、（１）伝送線路の再接続、（２）再度自己点検、（３）自己点検結果が正常か否かのチェックという操作注意を与える。
【００６１】
スマート端末は、基地局から送信された情報及び操作指示を取得し、操作指示に従って順に実行する。例えば、ステップ（１）を完成した後、基地局は操作要求を送信してステップ（２）を開始し、基地局は自己点検操作を開始し、その後、ネットワークサーバーモジュールを介して、自己点検結果情報をスマート端末に送信し、スマート端末は（３）を実行し、自己点検結果正常を表示する。
【００６２】
基地局はネットワークサーバーの機能を具備し、ウェブサーバー機能とはｗｅｂ  ｓｅｒｖｅｒ機能を指し、つまり、ＨＴＴＰプロトコルなどのネットワークプロトコルを処理することができ、スマート端末のＨＴＴＰなどの通信要求を受信した後、ネットワークサーバーは、ＨＴＴＰ要求に応答して、スマート端末にウェブページ操作インターフェースを発表することができる。基地局とスマート端末は、ウェブページインターフェースで操作要求及び操作情報の発表などのインタラクション作業を完成することができる。
【００６３】
基地局は、自己点検、診断及び操作指示の機能を具備する。自己点検情報、診断結果及び操作指示情報は、ウェブサーバー機能によってウェブページ操作インターフェースに発表される。
【００６４】
スマート端末は、操作記録を共通通信ネットワークを介してネットワーク管理クラウドにアップロードする（ステップＳ１６０８）。
【００６５】
(実施例２)
基地局に内部故障検出を行う場合に、基地局の内部故障処理フローは以下のステップ１〜ステップ４を含む。
スマート端末は、共通通信ネットワークを介して、ネットワーク管理クラウドにログインし、認証を経て、処理対象基地局の近接場無線通信ネットワークのアクセス認証情報を取得し（ステップ１）、例えば、基地局のＷＩＦＩネットワークにアクセスするためのユーザ名やパスワードを取得する。
【００６６】
処理対象基地局付近で、スマート端末は、基地局の近接場無線通信ネットワーク、例えば、ＷＩＦＩネットワークを走査した後、アクセス認証情報を用いて基地局にログインする（ステップ２）。
【００６７】
スマート端末は、基地局に操作要求を送信し、基地局がネットワークサーバーモジュールを介してスマート端末に送信した自己点検情報、診断情報、及び操作指示情報を取得する（ステップ３）。
【００６８】
例えば、基地局が自己点検診断モジュールによって自己の検出を行った後、得られた情報が基地局のクロックモジュールの異常であると、（１）基地局を変更、（２）ネットワーク管理クラウドから新規機器のアクセス認証情報を取得、（３）電源再投入、（４）スマート端末の基地局へのログイン、（５）基地局の再度自己点検、（６）自己点検結果が正常か否かのチェックという操作注意を与える。
【００６９】
スマート端末は、ウェブページで基地局の発表した情報と操作ステップをビューし、且つ、基地局とやりとりする。例えば、ステップ（１）を完成した後、（２）スマート端末が音声方式で、即ち、電話方式でネットワーク管理クラウドから新規機器のアクセス認証情報を取得し、ステップ（３）を完成した後、スマート端末は基地局にログインし、ステップ（４）を完成し、操作ページで、スマート端末は基地局に自己点検の開始を要求し、ステップ（５）を完成した後、基地局は自己点検結果情報をページに発表し、スマート端末は自己点検結果をビューし、自己点検結果正常を表示し、ステップ（６）を完成する。
【００７０】
スマート端末は、上記操作記録をスマート端末に保存し、維持作業を完成する（ステップ４）。
そのうち、上記のスマート端末はデータ記憶機能を具備する。
【００７１】
上述したように、本発明によれば、以下のような技術効果を実現できる：本発明の実施例に係る基地局近端維持方法及び装置によって、操作者がサイトで簡単且つ迅速に基地局の運行状態を把握することが可能となり、サイトと集中化したネットワーク管理者との人工インタラクションなどの作業量を低減し、作業効率を高めることができる。
【００７２】
言うまでもなく、当業者にとって、上記の本発明に係る各モジュール又は各ステップは汎用の演算装置によって実現することができ、単独の演算装置に集中させることができるし、或いは、複数の演算装置からなるネットワークに分布させることもでき、或いは、演算装置が実行可能なプログラムコードによって実現することで、それらを記憶装置に記憶させて演算装置によって実行することもできる。また、場合によっては、示した又は記載したステップを、ここでの順序と異なる順序で実行し、或いは夫々集積回路モジュールに作製し、或いはそのうちの複数のモジュール又はステップを単独の集積回路モジュールに作製して実現することができることは明らかなことである。このように、本発明は如何なる特定のハードウェアとソフトウェアの結合にも限定されない。
【００７３】
以上は、本発明の好適な実施例に過ぎず、本発明を限定するものではない。当業者であれば本発明に様々な修正や変形が可能である。本発明の精神や原則内での如何なる修正、置換、改良なども本発明の保護範囲内に含まれる。
【００７４】
上述のように、本発明の実施例に係る基地局維持機器、方法、装置及びシステム、移動端末、並びに、基地局によれば、操作者が自ら鉄塔に登ってＰＣをネットワークケーブルを介して基地局に接続し、接続を確立した後、操作者が専用コードを入力して手順に従って基地局を操作して基地局の故障状況を検出することで、操作プロセスが複雑で危険であって、且つ作業量が多い問題を解決し、さらに、無線通信方式で基地局と移動端末との接続を確立するため、安全で且つ利便性があり、基地局による故障検出フローのスマート化を実現し、操作が簡単で便利になる。
【図１】
0006258974.tif 000002
【図２】
0006258974.tif 000003
【図３】
0006258974.tif 000004
【図４】
0006258974.tif 000005
【図５】
0006258974.tif 000006
【図６】
0006258974.tif 000007
【図７】
0006258974.tif 000008
【図８】
0006258974.tif 000009
【図９】
0006258974.tif 000010
【図１０】
0006258974.tif 000011
【図１１】
0006258974.tif 000012
【図１２】
0006258974.tif 000013
【図１３】
0006258974.tif 000014
【図１４】
0006258974.tif 000015
【図１５】
0006258974.tif 000016
【図１６】
0006258974.tif 000017